(57)【要約】【課題】  光ピックアップ及びレンズ組立て装置ならびにその方法を提供する。【解決手段】  複数の対物レンズと、複数の対物レンズを挿設するための複数の取付孔を持ち、複数の取付孔のうち少なくともいずれか一つの取付孔の載置面が、それに設置された対物レンズの傾斜調整が可能に曲面で形成されたレンズホルダーと、を備えることを特徴とする光ピックアップ及びレンズ組立て装置ならびにその方法。これにより、レンズホルダーに形成される複数の取付孔のうち少なくとも一つの取付孔のレンズ載置面を、レンズの傾斜調整が可能に曲面で形成するので、部品数の増加や別途の組立て工数の増加なしに複数の対物レンズ間の傾斜調整が可能である。【選択図】      図１
2006019001.tif 000002
【特許請求の範囲】
【請求項１】
複数の対物レンズと、
前記複数の対物レンズを挿設するための複数の取付孔を持ち、前記複数の取付孔のうち少なくともいずれか一つの取付孔の載置面が、それに設置された対物レンズの傾斜調整が可能に曲面で形成されたレンズホルダーとを備えることを特徴とする光ピックアップ。
【請求項２】
前記載置面は、球面で形成されたことを特徴とする請求項１に記載の光ピックアップ。
【請求項３】
前記載置面は、その内径及び外径が、その載置面の中間位置を基準に少なくとも０．０５ｍｍ以上小さいか、または大きく形成されたことを特徴とする請求項１に記載の光ピックアップ。
【請求項４】
前記載置面の外径は、前記対物レンズの外径より少なくとも０．０５ｍｍ以上大きく形成されたことを特徴とする請求項１に記載の光ピックアップ。
【請求項５】
前記複数の対物レンズは、
ＢＤに適した第１対物レンズと、
ＨＤ  ＤＶＤ、ＤＶＤ及びＣＤのうち少なくともいずれか一つに適した第２対物レンズとを備えることを特徴とする請求項１に記載の光ピックアップ。
【請求項６】
前記複数の対物レンズは、
ＢＤ及びＨＤ  ＤＶＤのうち少なくともいずれか一つに適した第１対物レンズと、
ＤＶＤ及びＣＤのうち少なくともいずれか一つに適した第２対物レンズとを備えることを特徴とする請求項１に記載の光ピックアップ。
【請求項７】
請求項１ないし請求項６のうちいずれか一項に記載の光ピックアップのレンズホルダーの複数の取付孔に複数の対物レンズを、その中心軸が互いに平行になるように組立てるための対物レンズ組立て装置において、
複数の取付孔にそれぞれ対物レンズが挿入されたレンズホルダーが載置される載置部を持つマウントと、
前記取付孔にそれぞれ設置された複数の対物レンズを圧着する複数のレンズジグと、
前記曲面の載置面を持つ取付孔に挿入された対物レンズの傾斜を、それを圧着するレンズジグにより調整する傾斜調整デバイスと、
基準点を定め、この基準点に対して前記複数の対物レンズの中心軸を合わせるためのレーザー光を照射するレーザー光照射部と、
前記マウント、複数のレンズジグ、傾斜調整デバイスが搭載されるベースとを備えることを特徴とする対物レンズ組立て装置。
【請求項８】
前記レンズホルダーに形成された複数の取付孔のうちいずれか一つは、非曲面の載置面を持ち、この取付孔に挿入された対物レンズに照射されたレーザー光を利用して基準点を定め、この基準点に対して残りの対物レンズの中心軸を合わせるようになっていることを特徴とする請求項７に記載の対物レンズ組立て装置。
【請求項９】
前記複数の取付孔は、いずれも曲面の載置面を持ち、
前記レンズホルダーの所定位置に照射されたレーザー光を利用して基準点を定め、この基準点に対して、前記複数の取付孔に設置された複数の対物レンズの中心軸を合わせるようになっていることを特徴とする請求項７に記載の対物レンズ組立て装置。
【請求項１０】
前記レーザー光が照射される位置を変えるためのリニア移動デバイスをさらに備えることを特徴とする請求項７に記載の対物レンズ組立て装置。
【請求項１１】
前記リニア移動デバイスは、前記マウントを移動させることによりレーザー光が照射される位置を変えるように、前記ベースに設置されることを特徴とする請求項１０に記載の対物レンズ組立て装置。
【請求項１２】
複数の対物レンズ間の相対的な傾斜調整後、前記レンズホルダーの取付孔の開口中心に対して対物レンズを移動させて、前記対物レンズの中心とレンズホルダーの開口中心とを一致させるように、Ｘステージ、Ｙステージ及びＸ、Ｙステージのうち少なくともいずれか一つをさらに備えることを特徴とする請求項７に記載の対物レンズ組立て装置。
【請求項１３】
前記傾斜調整用デバイスは、ゴニオステージであることを特徴とする請求項７に記載の対物レンズ組立て装置。
【請求項１４】
前記レンズジグの対物レンズを加圧する先端部は、前記レーザー光照射部から前記対物レンズ側に照射された光がその対物レンズの外周面の一部で反射されるように、前記対物レンズの外周面の一部領域を露出させるように形成されたことを特徴とする請求項７に記載の対物レンズ組立て装置。
【請求項１５】
前記レンズジグの先端部は、前記対物レンズの外周面の少なくとも三つの領域を露出させるように形成されたことを特徴とする請求項１４に記載の対物レンズ組立て装置。
【請求項１６】
請求項１ないし６のうちいずれか一項に記載の光ピックアップのレンズホルダーの複数の取付孔に複数の対物レンズを、その中心軸が互いに平行になるように組立てる対物レンズの組立て方法において、
前記レンズホルダーは、複数の取付孔のうち少なくとも一つの取付孔の載置面が、それに設置された対物レンズの傾斜調整が可能に曲面で形成され、残りの一つの取付孔は非曲面の載置面を持ち、
複数の取付孔にそれぞれ対物レンズが挿入されたレンズホルダーをマウントの載置部に載置し、前記非曲面の載置面を持つ取付孔に挿入された基準対物レンズを一つのレンズジグで圧着して固定させるステップと、
前記基準対物レンズにレーザー光を照射して、ターゲット上の基準点を定めるステップと、
前記レーザー光を、曲面の載置面を持つ取付孔に挿入されており、かつ他のレンズジグで圧着された傾斜調整する対物レンズに照射させ、この対物レンズから反射された光路を前記ターゲット上の基準点と比較して差が出る場合、傾斜調整デバイスを利用して、基準対物レンズと傾斜調整する対物レンズとの中心軸が互いに平行になるように、前記傾斜調整する対物レンズの傾斜を調整するステップと、を含むことを特徴とする対物レンズの組立て方法。
【請求項１７】
複数の対物レンズ間の相対的な傾斜調整後、前記レンズホルダーの取付孔中心に対して対物レンズを移動させて、前記対物レンズの中心とレンズホルダーの取付孔中心とを一致させるステップをさらに含むことを特徴とする請求項１６に記載の対物レンズの組立て方法。
【請求項１８】
請求項１ないし６のうちいずれか一項に記載の光ピックアップのレンズホルダーの複数の取付孔に複数の対物レンズを、その中心軸が互いに平行になるように組立てるための対物レンズの組立て方法において、
前記レンズホルダーは、複数の取付孔の載置面が、それに設置された対物レンズの傾斜調整が可能に曲面で形成され、
複数の取付孔にそれぞれ対物レンズが挿入されたレンズホルダーをマウントの載置部に載置し、前記対物レンズそれぞれをレンズジグで圧着するステップと、
前記レンズホルダーの所定位置にレーザー光を照射して、ターゲット上の基準点を定めるステップと、
前記各対物レンズに対して、前記レーザー光を対物レンズを照射させ、この対物レンズから反射された光路を前記ターゲット上の基準点と比較して、差が出る場合、傾斜調整デバイスを利用して前記対物レンズの傾斜を調整して、前記各対物レンズの中心軸を合わせるステップとを含むことを特徴とする対物レンズの組立て方法。
【請求項１９】
複数の対物レンズ間の相対的な傾斜調整後、前記レンズホルダーの取付孔中心に対して対物レンズを移動させて、前記対物レンズの中心とレンズホルダーの取付孔中心とを一致させるステップをさらに含むことを特徴とする請求項１８に記載の対物レンズの組立て方法。
【発明の詳細な説明】
【技術分野】
【０００１】
本発明は、光ピックアップ及びレンズ組立て装置ならびにその方法に関する。
【背景技術】
【０００２】
レーザー光を対物レンズにより集束した集光スポットを利用して、光情報記録媒体に／から任意の情報を記録／再生する光記録及び／または再生機器で、記録容量は集光されるスポットの大きさにより定められる。集光スポットの大きさＳは、使用するレーザー光波長λ及び対物レンズの開口数（ＮＡ）により、式（１）のように決定される。
【０００３】
Ｓ∝λ／ＮＡ        （１）
したがって、光情報記録媒体の高密度化のために、光情報記録媒体に結ばれる光スポットの大きさを減らすために、青色レーザーのような短波長光源及び開口数０．６以上の対物レンズを採用する方向に、光記録及び／または再生機器が研究されつつある。
【０００４】
７８０ｎｍ波長の光及び開口数０．４５または０．５の対物レンズを利用して、情報の記録及び／または再生が行われるＣＤが発売された以降、記録密度を高めて情報記録容量を増やすための多くの研究が行われてきた。その結果物が６５０ｎｍ波長の光と開口数０．６または０．６５の対物レンズを利用して情報の記録及び／または再生を行うＤＶＤである。
【０００５】
現在は青色波長、例えば、４０５ｎｍ波長の光を利用して２０ＧＢ以上の記録容量を持つようになっている高密度光情報記録媒体についての研究が活発に進みつつある。
【０００６】
高密度光情報記録媒体は、現在規格化が活発に進みつつあり、一部規格はほぼ完了段階にあり、青色波長、例えば、４０５ｎｍ波長の光を利用する。この時、高密度光情報記録媒体のための対物レンズの開口数は、後述するように０．６５または０．８５である。
【０００７】
ＣＤは、厚さが１．２ｍｍであるが、ＤＶＤの場合に厚さを０．６ｍｍに薄くした理由は、開口数が、ＣＤの場合０．４５からＤＶＤの場合０．６程度に高くなったからであり、光情報記録媒体のチルトによる公差を確保するためである。
【０００８】
また、ＤＶＤより高容量を持つ高密度光情報記録媒体の場合、その高密度光情報記録媒体のための対物レンズの開口数を、例えば、０．８５に高めるならば、その高密度光情報記録媒体の厚さは約０．１ｍｍ程度に薄くせねばならない。
【０００９】
このように、対物レンズの開口数を高めてその光情報記録媒体の厚さを薄くしたものがブルーレイディスク（以下、ＢＤという）である。ＢＤ規格で光源の波長は４０５ｎｍであり、対物レンズの開口数は０．８５であり、その光情報記録媒体の厚さは約０．１ｍｍである。
【００１０】
現在開発中の高密度光情報記録媒体としては、ＢＤ以外にＨＤ（高忠実度）ＤＶＤがある。このＨＤ  ＤＶＤは、ＤＶＤと同一基板厚さを持ち、ＤＶＤと同じ対物レンズの開口数を使用し、光源の波長のみＢＤ規格と同じく青色波長、例えば、４０５ｎｍの規格である。
【００１１】
このように新たな規格の光ディスクの開発において、問題となるのは、既存の光ディスクとの互換性である。
【００１２】
ところが、前記のように記録密度の相異なる光ディスクを互換して記録／再生を可能にするためには、光ディスクに光スポットを結ばせる役割を行う対物レンズの作動距離（ＷＤ）が相異なって構成されねばならないので、少なくとも２つ以上の対物レンズを備える必要がある。
【００１３】
一方、光ピックアップ用のアクチュエータは、フォーカスとトラック両方向に駆動可能に磁気回路が構成されており、フォーカス方向には、光ディスクと対物レンズとの間隔を一定の間隔に維持させ、トラック方向には、対物レンズを所望のトラック位置（トラック中心）に移動させる役割を行う。
【００１４】
ところが、前記のように、記録密度の相異なる複数の光ディスクを互換採用する光ピックアップでは、相異なる記録密度を持つ複数の光ディスクにそれぞれ対応する対物レンズを必要とする。
【００１５】
したがって、少なくとも２つ以上の対物レンズを、一つのレンズホルダーに光ディスクの半径方向に配置して、互換性を確保する。
【００１６】
ところが、アクチュエータの可動部のレンズホルダーに一つの対物レンズのみを備える光ピックアップの場合には、レンズホルダーの金型状態を信じて、対物レンズをレンズホルダーに組立てた後に、アクチュエータスキューで対物レンズと光軸との整列を正確に合わせるが、レンズホルダーに２個の対物レンズを装着する場合には、アクチュエータスキューで２個の対物レンズのうち一つの対物レンズと光軸との整列のみを合わせることができるために、二つの対物レンズ間のチルト許容角が厳しく規制されねばならないので、光ピックアップ性能を確保できない可能性が依然として存在する。
【００１７】
特許文献１には、２個の対物レンズの中心軸それぞれが互いに平行になるように対物レンズの傾斜を調整する調整機構が備えられた光ディスク装置が開示されている。前記従来技術の場合には、調整しようとする対物レンズを別途の鏡筒に装着し、レンズホルダーに対して鏡筒を傾斜調整して、２個の対物レンズ間の傾斜調整を行うようになっている。
【００１８】
ところが、この従来技術の場合には、別途の鏡筒が装着されねばならないので、傾斜調整のための空間上の制約のないレンズホルダー構造が要求され、既存レンズホルダー部品に別途に鏡筒部品が追加されねばならない。また、これにより、組立て工数が増加し、組立て部品数も増加する。
【特許文献１】特開平１０−１１７６５号公報
【発明の開示】
【発明が解決しようとする課題】
【００１９】
本発明は、前記のような点を鑑みてなされたものであり、部品数の増加や別途の組立て工数の増加なしに、複数の対物レンズ間の傾斜調整が可能になっている光ピックアップ及びそのためのレンズ整列方法ならびにその装置を提供するところにその目的がある。
【課題を解決するための手段】
【００２０】
前記目的を達成するための本発明による光ピックアップは、複数の対物レンズと、前記複数の対物レンズを挿設するための複数の取付孔を持ち、前記複数の取付孔のうち少なくともいずれか一つの取付孔の載置面が、それに設置された対物レンズの傾斜調整が可能に曲面で形成されたレンズホルダーとを備えることを特徴とする。
【００２１】
ここで、前記載置面は、球面で形成される。
【００２２】
前記載置面は、その内径及び外径が、その載置面の中間位置を基準に少なくとも０．０５ｍｍ以上小さいか、または大きく形成されることが望ましい。前記載置面の外径は、前記対物レンズの外径より少なくとも０．０５ｍｍ以上大きく形成されたことが望ましい。
【００２３】
前記複数の対物レンズは、ＢＤに適した第１対物レンズと、ＨＤ  ＤＶＤ、ＤＶＤ及びＣＤのうち少なくともいずれか一つに適した第２対物レンズとを備える。
【００２４】
前記目的を達成するための本発明は、光ピックアップのレンズホルダーの複数の取付孔に複数の対物レンズを、その中心軸が互いに平行になるように組立てるための対物レンズ組立て装置において、複数の取付孔にそれぞれ対物レンズが挿入されたレンズホルダーが載置される載置部を持つマウントと、前記取付孔にそれぞれ設置された複数の対物レンズを圧着する複数のレンズジグと、前記曲面の載置面を持つ取付孔に挿入された対物レンズの傾斜を、それを圧着するレンズジグにより調整する傾斜調整デバイスと、基準点を定め、この基準点に対して前記複数の対物レンズの中心軸を合わせるためのレーザー光を照射するレーザー光照射部と、前記マウント、複数のレンズジグ、傾斜調整デバイスが搭載されるベースと、を備えることを特徴とする。
【００２５】
前記レンズホルダーに形成された複数の取付孔のうちいずれか一つは、非曲面の載置面を持ち、この取付孔に挿入された対物レンズに照射されたレーザー光を利用して基準点を定め、この基準点に対して残りの対物レンズの中心軸を合わせるようになっている。
【００２６】
前記複数の取付孔は、いずれも曲面の載置面を持ち、前記レンズホルダーの所定位置に照射されたレーザー光を利用して基準点を定め、この基準点に対して、前記複数の取付孔に設置された複数の対物レンズの中心軸を合わせるようになっている。
【００２７】
前記レーザー光が照射される位置を変えるためのリニア移動デバイスをさらに備える。
【００２８】
この時、前記リニア移動デバイスは、前記マウントを移動させることによりレーザー光が照射される位置を変えるように、前記ベースに設置されることが望ましい。
【００２９】
複数の対物レンズ間の相対的な傾斜調整後、前記レンズホルダーの取付孔の開口中心に対して対物レンズを移動させて、前記対物レンズの中心とレンズホルダーの開口中心とを一致させるように、Ｘステージ、Ｙステージ及びＸ、Ｙステージのうち少なくともいずれか一つをさらに備える。
【００３０】
前記傾斜調整用デバイスは、ゴニオステージである。
【００３１】
前記レンズジグの対物レンズを加圧する先端部は、前記レーザー光照射部から前記対物レンズ側に照射された光がその対物レンズの外周面の一部で反射されるように、前記対物レンズの外周面の一部領域を露出させるように形成されることが望ましい。前記レンズジグの先端部は、前記対物レンズの外周面の少なくとも三つの領域を露出させるように形成されることが望ましい。
【００３２】
前記目的を達成するために本発明は、光ピックアップのレンズホルダーの複数の取付孔に複数の対物レンズを、その中心軸が互いに平行になるように組立てる対物レンズの組立て方法において、前記レンズホルダーは、複数の取付孔のうち少なくとも一つの取付孔の載置面が、それに設置された対物レンズの傾斜調整が可能に曲面で形成され、残りの一つの取付孔は非曲面の載置面を持ち、複数の取付孔にそれぞれ対物レンズが挿入されたレンズホルダーをマウントの載置部に載置し、前記非曲面の載置面を持つ取付孔に挿入された基準対物レンズを一つのレンズジグで圧着して固定させるステップと、前記基準対物レンズにレーザー光を照射して、ターゲット上の基準点を定めるステップと、前記レーザー光を、曲面の載置面を持つ取付孔に挿入されており、かつ他のレンズジグで圧着された傾斜調整する対物レンズに照射させ、この対物レンズから反射された光路を前記ターゲット上の基準点と比較して差が出る場合、傾斜調整デバイスを利用して、基準対物レンズと傾斜調整する対物レンズとの中心軸が互いに平行になるように、前記傾斜調整する対物レンズの傾斜を調整するステップとを含むことを特徴とする。
【００３３】
ここで、複数の対物レンズ間の相対的な傾斜調整後、前記レンズホルダーの取付孔中心に対して対物レンズを移動させて、前記対物レンズの中心とレンズホルダーの取付孔中心とを一致させるステップをさらに含む。
【００３４】
前記目的を達成するために本発明は、光ピックアップのレンズホルダーの複数の取付孔に複数の対物レンズを、その中心軸が互いに平行になるように組立てるための対物レンズの組立て方法において、前記レンズホルダーは、複数の取付孔の載置面が、それに設置された対物レンズの傾斜調整が可能に曲面で形成され、複数の取付孔にそれぞれ対物レンズが挿入されたレンズホルダーをマウントの載置部に載置し、前記対物レンズそれぞれをレンズジグで圧着するステップと、前記レンズホルダーの所定位置にレーザー光を照射して、ターゲット上の基準点を定めるステップと、前記各対物レンズに対して、前記レーザー光を対物レンズを照射させ、この対物レンズから反射された光路を前記ターゲット上の基準点と比較して、差が出る場合、傾斜調整デバイスを利用して前記対物レンズの傾斜を調整して、前記各対物レンズの中心軸を合わせるステップとを含むことを特徴とする。
【００３５】
ここで、複数の対物レンズ間の相対的な傾斜調整後、前記レンズホルダーの取付孔中心に対して対物レンズを移動させて、前記対物レンズの中心とレンズホルダーの取付孔中心とを一致させるステップをさらに含む。
【発明の効果】
【００３６】
本発明によれば、レンズホルダーに形成される複数の取付孔のうち少なくとも一つの取付孔のレンズ載置面を、レンズの傾斜調整が可能に曲面で形成するので、部品数の増加や別途の組立て工数の増加なしに複数の対物レンズ間の傾斜調整が可能である。
【発明を実施するための最良の形態】
【００３７】
以下、添付した図面を参照して本発明の望ましい実施形態について詳細に説明する。
【００３８】
図１を参照するに、本発明による光ピックアップは、光ディスク１に光を照射し、この光ディスク１から反射されてきた光を受光して、情報信号及び／またはエラー信号を検出するように設けられた光ユニット５と、単一レンズホルダー５０に搭載されて入射される光を集束させて、光ディスクの記録面上に光スポットを結ばせる複数の対物レンズ、例えば、第１及び第２対物レンズ４５、４１と、第１及び第２対物レンズ４５、４１を搭載したレンズホルダー５０とを備える可動部を、例えば、フォーカス方向、トラッキング方向及び／またはチルト方向に駆動するためのアクチュエータ４０とを備えて構成される。レンズホルダー５０は、複数の取付孔を持ち、少なくとも一つの取付孔がそれに挿入された対物レンズの傾斜調整が可能に曲面からなる載置面を持つ。
【００３９】
第１及び第２対物レンズ４５、４１は、相異なる仕様を持つ。例えば、第１対物レンズ４５は、ＢＤに適した高開口数、例えば、０．８５の開口数を持ち、青色波長領域、例えば、４０５ｎｍ波長の光を利用して、約０．１ｍｍ厚さのＢＤを記録及び／または再生するのに最適化されるように設けられる。この場合、第２対物レンズ４１は、ＨＤ  ＤＶＤ、ＤＶＤ及びＣＤのうち少なくともいずれか一つを記録及び／または再生するのに最適化されるように設けられる。
【００４０】
例えば、第２対物レンズ４１は、約０．６５の開口数を持ち、４０５ｎｍ波長の光を利用して、約０．６ｍｍ厚さのＨＤ  ＤＶＤを記録及び／または再生するのに最適化されるように設けられる。
【００４１】
また、第１対物レンズ４５は、ＨＤ  ＤＶＤまたはＢＤ及びＨＤ  ＤＶＤのうちいずれか一つを記録及び／または再生するのに適して設けられ、第２対物レンズ４１は、ＤＶＤ及びＣＤのうち少なくともいずれか一つを互換して、記録及び／または再生するのに適して設けられる。
【００４２】
図２Ａ及び図２Ｂは、図１のレンズホルダー５０の一実施形態を示す。図２に示すように、レンズホルダー５０は、第１及び第２対物レンズ４５、４１が設置される第１及び第２取付孔５５、５７を持つ。第１及び第２対物レンズ４５、４１が光ディスク１の半径方向に配置されるように、第１及び第２取付孔５５、５７は、光ディスク１の半径方向に配置されたことが望ましい。第１取付孔５５及び第１対物レンズ４５は、第２取付孔５７及び第２対物レンズ４１より外周側に位置できる。代案として、第１取付孔５５及び第１対物レンズ４５が、第２取付孔５７及び第２対物レンズ４１より内周側に位置することも可能である。
【００４３】
第１及び第２取付孔５５、５７のうち少なくともいずれか一つの取付孔の載置面は、それに設置された対物レンズの傾斜調整が可能に、曲面よりは、望ましくは、球面で形成されたことが望ましい。
【００４４】
図２Ａ及び図２Ｂは、高密度光ディスク用の第１対物レンズ４５が設置される第１取付孔５５の載置面５５ａが曲面で形成され、相対的に低密度の光ディスク用の第２対物レンズ４１が設置される第２取付孔５７の載置面５７ａは、平面で形成された例を示す。
【００４５】
第１取付孔５５の載置面５５ａが球面で形成される場合、球面の中間位置は、第１対物レンズ４５の外周側底面（基準面）の外側コナー部分と線接触する。線接触位置は、第１対物レンズ４５の傾斜調整によって球面の中間位置から若干外れることもある。載置面５５ａは、その内径及び外径がその球面の中間位置を基準に少なくとも０．０５ｍｍ以上小さいか、または大きく形成されたことが望ましい。
【００４６】
また、載置面５５ａの外径は、第１対物レンズ４５の外周を支持するレンズホルダー５０の第１取付孔５５の外径と一致することが望ましく、第１対物レンズ４５の外径より少なくとも０．０５ｍｍ以上大きく形成されたことが望ましい。
【００４７】
レンズホルダー５０が図２に示すように形成された場合、第１及び第２対物レンズ４５、４１は、それら間の相対的な傾斜が最小化されるように、次のようにレンズホルダー５０に設置できる。
【００４８】
第１及び第２取付孔５５、５７にそれぞれ第１及び第２対物レンズ４５、４１を挿入して載置した状態で、第２対物レンズ４１は固定させる。次いで、第２対物レンズ４１を基準として、第１対物レンズ４５の中心軸が第２対物レンズ４１の中心軸と平行になるように、第１対物レンズ４５の傾斜を調整する。第１取付孔５５の載置面５５ａが曲面であるため、例えば、第１対物レンズ４５の外周側の少なくとも一地点に作用する力が、他の地点に作用する力と異なるように第１対物レンズ４５を押圧すれば、第１対物レンズ４５が曲面に沿って若干摺動しつつ傾斜が調整される。これにより、第１対物レンズ４５の中心軸が第２対物レンズ４１の中心軸と平行になれば、第１対物レンズ４５を固定させる。
【００４９】
ここで、第１取付孔５５の載置面５５ａは平面で形成され、第２取付孔５７の載置面５７ａを曲面で形成して、第１対物レンズ４５に対して第２対物レンズ４１の相対的な傾斜を調整して、その中心軸を互いに平行にすることもできる。
【００５０】
また、図３Ａないし図３Ｃに示すように、レンズホルダー５０−１が第１及び第２取付孔５５、５７の載置面５５ａ、５７ａ−１をいずれも曲面で形成して、第１及び第２対物レンズ４５、４１それぞれの傾斜を調整して、その中心軸が互いに平行に形成されることもできる。図３Ａないし図３Ｃの場合に、第１及び第２対物レンズ４５、４１の傾斜調整は、レンズホルダー５０−１の所定位置を基準とする。
【００５１】
前記のように、本発明による光ピックアップは、第１及び第２対物レンズ４５、４１が設置される第１及び第２取付孔５５、５７のうち少なくとも一つの取付孔の載置面を曲面で形成したレンズホルダー５０、５０−１を備えるので、レンズホルダー５０、５０−１に第１及び第２対物レンズ４５、４１を、その中心軸の間に相対的な傾斜が発生しないように組立てることが可能である。
【００５２】
前記のような光ピックアップで、第１及び第２対物レンズ４５、４１をレンズホルダー５０、５０−１に、その中心軸間の相対的な傾斜なしに組立てる装置としては、後述するレンズ組立て装置を利用できる。
【００５３】
前記のように、本発明による光ピックアップは、少なくとも一つの取付孔に傾斜調整が可能に曲面でなる載置面が形成された単一レンズホルダーに、複数の対物レンズを搭載した点にその特徴があり、以外の残りの光学的構成及びアクチュエータ構成は多様に変形できる。
【００５４】
図４は、本発明による光ピックアップの光学的構成の一例を示す。図を参照するに、本発明による光ピックアップは、記録密度の相異なる複数の光ディスクを互換採用できるように、ＤＶＤより記録密度の高い高密度光ディスクのための高密度用光学系と、ＤＶＤ及び／またはＣＤのための低密度用光学系とをそれぞれ使用し、アクチュエータ４０は共用する構造を持つことができる。ここで、前記高密度光ディスクは、ＢＤまたはＨＤ  ＤＶＤのうち少なくともいずれか一つになりうる。
【００５５】
図４は、本発明による光ピックアップが、光ユニット５から出射された光路を反射ミラー３７、３５で曲げて第１及び第２対物レンズ４５、４１に入射させる構造からなる例を示すが、反射ミラー３７、３５を排除し、光ユニット５から出射された光を直ちに第１及び第２対物レンズ４５、４１に入射させる構造も可能である。
【００５６】
光ユニット５は、例えば、高密度光ディスク及びＤＶＤにそれぞれ適した波長の第１及び第２光１１ａ、２１ａを出射し、光ディスク１から反射されてきた第１及び第２光１１ａ、２１ａを受光して、情報再生信号及び／またはエラー信号を検出できるように設けられた第１及び第２光ユニット１０、２０と、第２光ユニット２０と第２対物レンズ４１との間に配置された第１光路変換器２５と、第１光ユニット１０と高密度光ディスク用の反射ミラー３７との間に配置された第１コリメートレンズ１８と、第２光ユニット２０と第１光路変換器２５との間に配置された第２コリメートレンズ２３とを含んで構成される。
【００５７】
このような構成を持つ場合、本発明による光ピックアップは、高密度光ディスク及びＤＶＤを互換採用できる。
【００５８】
一方、光ユニット５は、ＣＤに適した波長の第３光３１ａを出射し、光ディスク１から反射されてきた第３光３１ａを受光して、情報再生信号及び／またはエラー信号を検出できるように設けられた第３光ユニット３０と、第３光ユニット３０と第１光路変換器２５との間に配置された第３コリメートレンズ３３とをさらに備えることもできる。
【００５９】
このような構成を持つ場合、本発明による光ピックアップは、高密度光ディスク及びＤＶＤだけでなく、ＣＤを互換採用することが可能である。
【００６０】
第１光ユニット１０は、図４に示すように、高密度光ディスクに適するように、青色波長、例えば、４０５ｎｍ波長の第１光１１ａを出射する青色光源１１と、入射される第１光１１ａを偏光状態によって透過または反射させる偏光ビームスプリッタ１３と、第１光１１ａの偏光を変える第１光１１ａの波長に対する１／４波長板１５と、光ディスク１から反射されてきた第１光１１ａを受光して、情報再生信号及び／またはエラー信号を検出するための光検出器１７と、偏光ビームスプリッタ１３と光検出器１７との間に配置された検出レンズ１６と、を含んで構成できる。
【００６１】
検出レンズ１６としては、入射される第１光１１ａを非点収差を発生させて非点収差法によるフォーカスエラー信号を検出可能にする非点収差レンズを具備できる。
【００６２】
一方、第１光ユニット１０は、第１光源１１の光出力を制御するために、第１光源１１から出射され、かつ偏光ビームスプリッタ１３により一部反射された第１光１１ａを検出するためのモニタ用光検出器２６をさらに具備できる。また、第１光ユニット１０は、偏光ビームスプリッタ１３により反射された第１光１１ａを集束して、モニタ用光検出器２６に適当に集めるコンデンシングレンズ１４をさらに具備できる。
【００６３】
第２光ユニット２０としては、ＤＶＤに適した赤色波長、例えば、６５０ｎｍ波長用のホログラム光モジュールを具備できる。
【００６４】
また、第３光ユニット３０としては、ＣＤに適した近赤外線波長、例えば、７８０ｎｍ波長用のホログラム光モジュールを具備できる。
【００６５】
本技術分野で公知のように、ホログラム光モジュールは、所定波長、例えば、６５０ｎｍまたは７８０ｎｍ波長の光を出射させる光源と、光ディスク１で反射されてきた光を受光して、情報信号及び／またはエラー信号を検出するように光源一側に配置された光検出器と、光源側から入射される光は大部分直進透過させ、光ディスク１から反射されてきた光を＋１次または−１次に回折透過させて、光検出器に向かわせるホログラム素子とを備え、例えば、差動プッシュプル法によりトラッキングエラー信号を検出するように、サブビームを生成するためのグレーティングをさらに備えることもできる。
【００６６】
グレーティングを備える構造である場合、ホログラム光モジュールの光検出器は、差動プッシュプル法によりトラッキングエラー信号を検出できる構造を持つ。ここで、第２及び第３光ユニット２０、３０として適用される、ＤＶＤのための赤色波長用のホログラム光モジュール及びＣＤのための近赤外線波長用のホログラム光モジュールについてのさらに詳細な説明及び図示は省略する。
【００６７】
第２及び第３光ユニット２０、３０は、ホログラム光モジュールで構成される代わりに、第１光ユニット１０と同じく、光源及び光検出器が別々に分離される光学的構成を持つこともできる。
【００６８】
また、第１光ユニット１０として、高密度光ディスクのための青色波長、例えば、４０５ｎｍ波長用のホログラム光モジュールを備えることもできる。
【００６９】
第１光路変換器２５は、第２及び第３光ユニット２０、３０と第２対物レンズ４１との間に配置されて、第２及び第３光ユニット２０、３０から入射された第２及び第３光２１ａ、３１ａを第２対物レンズ４１側に向かわせ、光ディスク１から反射されてきた第２及び第３光２１ａ、３１ａを、第２及び第３光ユニット２０、３０側に取り戻せる。第１光路変換器２５としては、第２光２１ａは透過させ、第３光３１ａは全反射させる鏡面を持つプレート型ビームスプリッタを具備できる。
【００７０】
第１コリメートレンズ１８は、第１光ユニット１０と第１対物レンズ４５との間に配置されて、第１光ユニット１０側から発散光形態に入射される第１光１１ａを平行光に変えて、第１対物レンズ４５に入射させる。
【００７１】
このように、第１光１１ａを平行光に変える第１コリメートレンズ１８を備える場合、第１対物レンズ４５は、平行光である第１光１１ａに対して最適化されるように設計される。
【００７２】
第２コリメートレンズ２３は、第２光ユニット２０と第１光路変換器２５との間に配置される。この第２コリメートレンズ２３は、第２光ユニット２０側から発散光形態に入射される第２光２１ａを平行光に変える。
【００７３】
第３コリメートレンズ３３は、第３光ユニット３０と第１光路変換器２５との間に配置される。この第３コリメートレンズ３３は、第３光ユニット３０側から発散光形態に入射される第３光３１ａを、平行光に変える。
【００７４】
以上では、本発明による光ピックアップが第１ないし第３コリメートレンズ１８、２３、３３を備えて、第１及び第２対物レンズ４５、４１に平行光を入射させるようになっていると説明したが、本発明による光ピックアップは、第１ないし第３コリメートレンズ１８、２３、３３のうち少なくともいずれか一つのコリメートレンズを備えないか、または若干収束または発散される光を第１及び／または第２対物レンズ４５、４１に入射させるように設けられて、高密度光ディスク、ＤＶＤ、ＣＤのうち少なくともいずれか一つのための光学系が有限光学系になるように構成されることもできる。
【００７５】
一方、光ユニット５は、第１光路変換器２５の一側に、第２及び／または第３光ユニット２０、３０の光出力量をモニタリングするためのモニタ用光検出器２７をさらに具備できる。
【００７６】
ここで、図４は、本発明による光ピックアップの光ユニット５の光学的構成の一例を示すだけで、本発明による光ピックアップの光ユニット５が、図４の光学的構成に限定されるものではない。すなわち、本発明による光ピックアップの具体的な光ユニット５の光学的構成は、本発明の技術的思想の範囲内で多様に変形できる。
【００７７】
第１対物レンズ４５は、高密度光ディスク、ＤＶＤ、ＣＤのうち最も高密度の光ディスクの記録及び／または再生のための最適の光スポットを形成できるように設けられたことが望ましい。
【００７８】
例えば、第１光源１１が青磁色波長、例えば、４０５ｎｍ波長の第１光１１ａを出射し、高密度光ディスクが０．１ｍｍ程度の厚さを持つ時、すなわち、ＢＤである場合、第１対物レンズ４５は、０．８５の高開口数を持つことが望ましい。ここで、前記高密度光ディスクがＨＤ  ＤＶＤである場合には、第１対物レンズ４５は０．６５の開口数を持つことができる。
【００７９】
第２対物レンズ４５は、低密度光ディスク、すなわち、ＤＶＤ及び／またはＣＤの記録及び／または再生のための光スポットを形成できるように設けられたことが望ましい。
【００８０】
すなわち、本発明による光ピックアップが、図４に示すように、高密度光ディスク及びＤＶＤだけでなく、ＣＤも互換する場合、第２対物レンズ４１は、ＤＶＤに対して最適化され、ＣＤも互換採用できるように設けられたことが望ましい。
【００８１】
また、本発明による光ピックアップが高密度光ディスク及びＤＶＤ互換型である場合、第２対物レンズ４１はＤＶＤに対して最適化されたことが望ましい。
【００８２】
また、本発明による光ピックアップがＢＤ及びＨＤ  ＤＶＤ互換型である場合、第１対物レンズ４５は、ＢＤに対して最適化され、第２対物レンズ４１は、ＨＤ  ＤＶＤに対して最適化されたことが望ましい。
【００８３】
一方、アクチュエータ４０は、第１及び第２対物レンズ４５、４１を単一レンズホルダー５０、５０−１に搭載する単一アクチュエータ構造である。
【００８４】
アクチュエータ４０は、ホルダーが固設されるベースと、第１及び第２対物レンズ４５、４１が設置される単一レンズホルダー５０、５０−１と、一端がレンズホルダー５０、５０−１に固設され、かつ他端が前記ホルダーに固設されて、レンズホルダー５０、５０−１を動き自在に支持する複数のサスペンションと、レンズホルダー５０、５０−１をフォーカス方向、トラック方向及び／またはチルト方向に駆動するための磁気回路とを備える。
【００８５】
第１及び第２対物レンズ４５、４１を除外した残りの光ピックアップ光学系の光学部品は、前記ベースに配置される。そして、前記磁気回路のうち一部、例えば、コイルはレンズホルダー５０、５０−１に設置され、残り、すなわち、磁石及びヨークはベースに配置される。レンズホルダー５０、５０−１、第１及び第２対物レンズ４５、４１及びレンズホルダー５０、５０−１に設置される磁気回路部分は、光ピックアップ組立て体の可動部をなす。
【００８６】
以下では、前記のような本発明による光ピックアップのレンズホルダー５０、５０−１に複数の対物レンズ４５、４１を、それら間の相対的な傾斜なしに組立てる対物レンズ組立て装置及び組立て方法の具体的な実施形態を説明する。
【００８７】
図５は、本発明によるレンズ組立て装置の全体システムを概略的に示し、図６は、図５の一部分を拡大して示し、図７は、図５のレンズ固定ジグ２１０及びレンズ調整ジグ２００を拡大して示す。図５ないし図７は、レンズホルダー５０が図２に示すように、曲面の載置面５５ａが形成された第１取付孔５５と、非球面、例えば、平面の載置面５７ａが形成された第２取付孔５７と、を持つ場合に適して構成された対物レンズ組立て装置の実施形態を示す。
【００８８】
図５ないし図７を参照するに、本発明による対物レンズ組立て装置は、ベース１００と、対面にレンズホルダー５０が載置される載置部１５１を持つマウント１５０と、レンズ固定ジグ２１０及びレンズ調整ジグ２００と、レンズ調整ジグ２００により第１対物レンズ４５の傾斜を調整する傾斜調整用デバイス１４０と、レーザー光を照射するレーザー光照射部とを備えて構成される。また、本発明による対物レンズ組立て装置は、レーザー光が照射される位置を変えるためのリニア移動デバイス１１０をさらに備えることができる。また、本発明による対物レンズ組立て装置は、第１対物レンズ４５の傾斜調整後、レンズホルダー５０の開口中心に対して第１対物レンズ４５を移動させるＸ及び／またはＹステージ１２０、１３０をさらに具備できる。
【００８９】
ベース１００には、前記レーザー光照射部を除外した残りの構成要素、すなわち、レンズ固定ジグ２１０、レンズ調整ジグ２００、傾斜調整デバイス１４０、マウント１５０などがいずれも搭載される。もちろん、前記レーザー光照射部も、ベース１００に設置できる。
【００９０】
レンズホルダー５０は、図２を参照として前述したように、曲面の載置面５５が形成された第１取付孔５５を備える。
【００９１】
図６及び図７を参照するに、レンズ固定ジグ２１０は、その先端部２１１が、バネ力によりレンズホルダー５０の第２取付孔５７に挿入された第２対物レンズ４１を圧着して、第２対物レンズ４１を固定された状態に維持させる。第２取付孔５７には、載置面５７ａが非球面、例えば、平面で形成されている。
【００９２】
レンズ組立て工程中、レンズ固定ジグ２１０のバネ力により第２対物レンズ４１は、その外周部分の底面部が第２取付孔５７の載置面５７ａに密着されたままで固定された状態に維持される。
【００９３】
レンズ調整ジグ２００は、一側が傾斜調整デバイス１４０に結合されており、その先端部２０１が、バネ力によりレンズホルダー５０の第１取付孔５５に挿入された第１対物レンズ４５を圧着するようになっている。第１取付孔５５には、載置面５５ａが曲面で形成されている。
【００９４】
レンズ調整ジグ２００を傾斜調整デバイス１４０で調整することにより、第１対物レンズ４５を圧着する力が部位によって変わり、これにより、曲面の載置面５５ａに沿って第１対物レンズ４５が摺動しつつ、その傾斜が調整される。
【００９５】
レンズ調整ジグ２００及びレンズ固定ジグ２１０の第１及び第２対物レンズ４５、４１を加圧する先端部２０１、２１１は、図７に示すように、前記レーザー光照射部から第１及び第２対物レンズ４５、４１側に照射された光がそのレンズの外周面の一部で反射されるように、第１及び第２対物レンズ４５、４１の外周側一部領域４５ａ、４１ａを露出させて形成されたことが望ましい。
【００９６】
レンズ調整ジグ２００及びレンズ固定ジグ２１０の先端部２０１、２１１は、比較的均一な力で第１及び第２対物レンズ４５、４１を加圧するように、第１及び第２対物レンズ４５、４１の外周面の少なくとも３つの領域４５ａ、４１ａを露出させるように形成されたことが望ましい。図７では、レンズ調整ジグ２００及びレンズ固定ジグ２１０の先端部２０１、２１１が、第１及び第２対物レンズ４５、４１の外周面の３つの領域４５ａ、４１ａを露出させるように形成された例を示す。第１及び第２対物レンズ４５、４１でレーザービームが反射される領域４５ａ、４１ａは、図７で斜線をひいて表した。
【００９７】
傾斜調整デバイス１４０としては、ゴニオステージを具備できる。傾斜調整デバイス１４０は、レンズ調整ジグ２００を所定角度範囲内で回動させることにより、レンズ調整ジグ２００により第１対物レンズ４５におよぶ加圧力が位置によって変わり、これにより、第１対物レンズ４５が、第１取付孔５５の曲面型載置面５５ａに沿って微小量摺動して、その傾斜が調整される。
【００９８】
前記レーザー光照射部は、レーザー光を出射するレーザー光源２３０と、このレーザー光源２３０から出射されたレーザー光をその下方に反射させて、マウント１５０に搭載されたレンズホルダー５０側に向かわせる反射ミラーデバイス２４０と、を備える。
【００９９】
レーザー光源２３０から出射されたレーザー光は、反射ミラーデバイス２４０によりその経路が約９０°折り曲げられて、下方に位置したレンズホルダー５０側に進む。レーザー光は、レンズホルダー５０、第１対物レンズ４５及び第２対物レンズ４１のうちいずれか一つに照射され、それから反射された光は、反射ミラーデバイス２４０で反射されて、レーザー光源２３０側に戻る。
【０１００】
レーザー光源２３０側に戻った光の位置を確認するために、レーザー光源２３０の前方に方眼紙などのターゲット２４５を位置させることができる。このターゲット２４５は、レンズ傾斜の調整前に基準点を定めるのに使われ、調整対象レンズ（本実施形態では、第１対物レンズ４５）から反射された光路が、このターゲット２４５上の基準点と一致するようにレンズの傾斜を調整すれば、第１及び第２対物レンズ４５、４１の中心軸を互いに平行にすることができる。
【０１０１】
本実施形態の場合には、第２対物レンズ４１にレーザー光を照射し、これより反射されたレーザー光がターゲット２４５を過ぎる位置を基準点とする。次いで、レーザー光が照射される位置を水平移動させて、第１対物レンズ４５にレーザー光を照射し、これより反射されたレーザー光がターゲット２４５上の基準点を過ぎるかどうかを確認して、基準点を外れた場合には、レーザー光がターゲット２４５上の基準点を過ぎるまで、傾斜調整デバイス１４０によりレンズ調整ジグ２００を回動させて、第１対物レンズ４５の傾斜を調整する。レーザー光がターゲット２４５上の基準点を過ぎる時、第１対物レンズ４５の中心軸は、第２対物レンズ４１の中心軸と平行になる。
【０１０２】
一方、本発明による対物レンズ組立て装置は、レーザー光が照射される位置を線形的に移動させうるように、リニア移動デバイス１１０、すなわち、リニアステージをさらに備えることが望ましい。
【０１０３】
図５及び図６では、リニア移動デバイス１１０がマウント１５０を移動させることによりレーザー光の照射位置を変えるように、ベース１００に設置された例を示す。図５及び図６に示すように、レンズ固定ジグ２１０、レンズ調整ジグ２００、マウント１５０及び傾斜調整デバイス１４０は、いずれもリニア移動デバイス１１０に搭載される。また、Ｘ及び／またはＹステージ１２０、１３０も、リニア移動デバイス１１０に搭載される。
【０１０４】
一方、本発明による対物レンズ組立て装置は、第１対物レンズ４５と第２対物レンズ４１との相対的な傾斜調整後、レンズホルダー５０の第１取付孔５５の開口中心に対して第１対物レンズ４５を移動させて、第１対物レンズ４５の中心とレンズホルダー５０の開口中心とを一致させる調整を行えるように、Ｘ及び／またはＹステージ１２０、１３０をさらに備えることが望ましい。図５及び図６では、別々になっているＸステージ１２０とＹステージ１３０とを備えることと図示されている。代案として、Ｘステージ１２０及びＹステージ１３０のうちいずれか一つを備えるか、または一体型Ｘ、Ｙステージを備えることもできる。
【０１０５】
ここで、第２取付孔５７に挿入された第２対物レンズ４１の場合にも、第２対物レンズ４１と第２取付孔５７との開口中心を一致させる調整が可能になるように、レンズ固定ジグ２１０を搭載するＸ及び／またはＹステージをさらに具備できる。この場合、Ｘ及び／またはＹステージはリニア移動デバイス１１０に搭載され、レンズ固定ジグ２１０は、このＸ及び／またはＹステージに設置される。これについては、図５及び図６を参照して前述したものから十分に類推できるので、その図示及びさらに詳細な説明は省略する。
【０１０６】
前記のような構成を持つ本発明による対物レンズ組立て装置により、レンズホルダー５０に第１及び第２対物レンズ４５、４１を組立てる過程を図５ないし図７を参照して説明すれば、次の通りである。
【０１０７】
まず、第１及び第２取付孔５５、５７にそれぞれ第１及び第２対物レンズ４５、４１が挿入されたレンズホルダー５０を、マウント１５０の載置部１５１に載置し、非曲面の載置面５７ａを持つ第２取付孔５７に挿入された第２対物レンズ４１をレンズ固定ジグ２１０で圧着して、第２対物レンズ４１が固定された状態に維持させる。次いで、曲面の載置面５５ａを持つ第１取付孔５５に挿入された第１対物レンズ４５を、レンズ調整ジグ２００で圧着する。
【０１０８】
次いで、第２対物レンズ４１にレーザー光を照射して、ターゲット２４５上の基準点を定める。
【０１０９】
次いで、リニア移動デバイス１１０を作動させて、第１対物レンズ４５にレーザー光を照射させて、この第１対物レンズ４５から反射された光路をターゲット２４５上の基準点と比較する。比較結果、反射された光路がターゲット２４５上の基準点と差が出る場合、第１対物レンズ４５から反射された光路がターゲット２４５上の基準点と一致するまで、傾斜調整デバイス１４０によりレンズ調整ジグ２００を微小量回動させることにより、第１対物レンズ４５の傾斜を調整する。これにより、第１及び第２対物レンズ４５、４１は、その中心軸が互いに平行に合わせられる。
【０１１０】
付加的に、この第１対物レンズ４５と第２対物レンズ４１との相対的な傾斜調整後、Ｘ及び／またはＹステージ１２０、１３０を調整して、レンズ調整ジグ２００を水平平面内で移動させる。これにより、レンズ調整ジグ２００により加圧される第１対物レンズ４５が、第１取付孔５５の中心に対して位置移動する。Ｘ及び／またはＹステージ１２０、１３０の調整は、第１対物レンズ４５の中心と第１取付孔５５の開口中心とを一致させるまで行われる。
【０１１１】
レンズ固定ジグ２１０を搭載するＸ及び／またはＹステージをさらに備える場合にも、Ｘ及び／またはＹステージを調整することにより、第２対物レンズ４１の中心と第２取付孔５７の開口中心とを一致させることができる。
【０１１２】
一方、以上では、本発明による光ピックアップのレンズホルダー５０が図２の構造を持つ場合に適した対物レンズ組立て装置の場合を例として説明及び図示したが、本発明による対物レンズ組立て装置は、図８に示すように、レンズホルダー５０−１の第１及び第２取付孔５５、５７が曲面の載置面５５ａ、５７ａ−１を持つ場合（図３の構造）にも、対物レンズの組立てが可能になるように、第１及び第２対物レンズ４５、４１それぞれに対する傾斜調整が可能な構造を持つことができる。
【０１１３】
図８を参照するに、本発明の他の実施形態による対物レンズ組立て装置は、図５ないし図７を参照して説明した一実施形態の場合と比較する時、一つのレンズ固定ジグ２１０及び一つのレンズ調整ジグ２００を備える代わりに、２つのレンズ調整ジグ２００を備えて、第２対物レンズ４１の場合についても第１対物レンズ４５の場合と同じく傾斜調整が可能であり、付加的に、第２対物レンズ４１と第２取付孔５７との開口中心を一致させる調整が可能な構造を持つ。図８では、図５ないし図７と実質的に同一機能を行う構成要素を同一参照符号で表示し、ここでは、それら構成要素についての反復的な説明は省略する。
【０１１４】
図８に示すように、本発明による対物レンズ組立て装置が、第１及び第２対物レンズ４５、４１をいずれも傾斜調整可能に構成され、レンズホルダー５０−１の第１及び第２取付孔５５、５７がそれぞれ曲面載置面５５ａ、５７ａを持つ場合、対物レンズ組立て過程は、次の通りである。
【０１１５】
すなわち、第１及び第２取付孔５５、５７にそれぞれ第１及び第２対物レンズ４５、４１が挿入されたレンズホルダー５０−１を、マウント１５０の載置部１５１に載置し、第１及び第２対物レンズ４５、４１をそれぞれレンズ調整ジグ２００に圧着する。
【０１１６】
次いで、レンズホルダー５０−１の所定位置にレーザー光を照射して、ターゲット２４５上の基準点とする。
【０１１７】
次いで、リニア移動デバイス１１０を作動させて、第２対物レンズ４１にレーザー光を照射させて、この第２対物レンズ４１から反射された光路がターゲット２４５上の基準点と一致するまで、第２対物レンズ４１の傾斜を調整する。
【０１１８】
次いで、リニア移動デバイス１１０を作動させて、第１対物レンズ４５にレーザー光を照射させて、この第１対物レンズ４５から反射された光路がターゲット２４５上の基準点と一致するまで、第１対物レンズ４５の傾斜を調整する。これにより、第１及び第２対物レンズ４５、４１は、その中心軸が互いに平行に合わせられる。
【０１１９】
付加的に、この第１対物レンズ４５と第２対物レンズ４１との相対的な傾斜調整後、レンズホルダー５０−１の第１及び第２取付孔５５、５７それぞれの中心に対して第１及び第２対物レンズ４５、４１を移動させて、第１対物レンズ４５の中心と第１取付孔５５の開口中心、第２対物レンズ４１の中心と第２取付孔５７の開口中心とをそれぞれ一致させる。
【０１２０】
図９は、本発明による光ピックアップを適用した光記録及び／または再生機器の構成を概略的に示す図である。図９を参照するに、光記録及び／または再生機器は光ディスク１を回転させるためのスピンドルモータ３１２と、光ディスク１の半径方向に移動可能に設置されて、光ディスク１に／から情報を記録及び／または再生する光ピックアップ３００と、スピンドルモータ３１２及び光ピックアップ３００を駆動するための駆動部３０７と、光ピックアップ３００のフォーカス、トラッキング及び／またはチルトサーボを制御するための制御部３０９とを備える。ここで、参照番号３５２は、ターンテーブル、３５３は、光ディスク１をチャッキングするためのクランプを表す。
【０１２１】
光ピックアップ３００は、光源から出射された光を光ディスク１に集束させる第１及び第２対物レンズ４５、４１を備える光ピックアップ光学系と、この第１及び第２対物レンズ４５、４１を駆動するための光ピックアップアクチュエータとを備える。前記光ピックアップとしては、前述した本発明による光ピックアップを備える。
【０１２２】
光ディスク１から反射された光は、光ピックアップ３００に設けられた光検出器を通じて検出され、かつ光電変換されて電気的信号に変わり、この電気的信号は、駆動部３０７を通じて制御部３０９に入力される。駆動部３０７は、スピンドルモータ３１２の回転速度を制御し、入力された信号を増幅させ、光ピックアップ３００を駆動する。制御部３０９は、駆動部３０７から入力された信号に基づいて調節されたフォーカスサーボ及びトラッキングサーボ命令を再び駆動部３０７に送り、光ピックアップ３００のフォーカシング及びトラッキングサーボ動作を具現させる。
【０１２３】
前記のような本発明による光記録及び／または再生機器では、第１及び第２対物レンズ４５、４１が、その中心軸が互いに平行に単一レンズホルダーに搭載されているので、アクチュエータ自体傾斜を調整するアクチュエータスキューだけで第１及び第２対物レンズ４５、４１と光軸との整列を合わせられるので、光ピックアップ性能を確保できる。ここで、前記アクチュエータとして、チルト駆動可能なアクチュエータを具備すれば、アクチュエータ自体傾斜調整を行える。
【０１２４】
以上説明した本発明による光ピックアップの複数の対物レンズ組立て技術によれば、複数の対物レンズ間の傾斜を５分以内に管理して、各対物レンズに対応する光ディスク再生または記録性能の劣化を回避できる。
【産業上の利用可能性】
【０１２５】
本発明によるレンズ組立て装置は、一つのレンズホルダーに形成された複数の取付孔に複数の対物レンズを、その複数の対物レンズ間の傾斜を調整しつつ設置できる。したがって、このようなレンズ組立て装置は、一つのレンズホルダーに複数の対物レンズが搭載される構造の光ピックアップで、複数の対物レンズをその対物レンズ間の傾斜なしに組立てるのに使われうる。
【図面の簡単な説明】
【０１２６】
【図１】本発明による光ピックアップの構成を概略的に示す図である。
【図２Ａ】図１のレンズホルダーの一実施形態を示す図である。
【図２Ｂ】図２Ａの拡大された部分を示す図である。
【図３Ａ】図１のレンズホルダーの他の実施形態を示す図である。
【図３Ｂ】図３Ａの拡大された一部分を示す図である。
【図３Ｃ】図３Ａの拡大された他の部分を示す図である。
【図４】本発明による光ピックアップの光学的構成の一例を示す図である。
【図５】本発明の一実施形態によるレンズ組立て装置の全体システムを概略的に示す図である。
【図６】図５の一部分を拡大して示す図である。
【図７】図５のレンズ固定ジグ及びレンズ調整ジグを拡大して示す図である。
【図８】本発明の他の実施形態によるレンズ組立て装置の全体システムを概略的に示す図である。
【図９】本発明による光ピックアップを適用した光記録及び／または再生機器の構成を概略的に示す図である。
【符号の説明】
【０１２７】
１    光ディスク
５    光ユニット
４０  アクチュエータ
４５、４１  第１及び第２対物レンズ
５０  レンズホルダー
【図１】
2006019001.tif 000003
【図２Ａ】
2006019001.tif 000004
【図２Ｂ】
2006019001.tif 000005
【図３Ａ】
2006019001.tif 000006
【図３Ｂ】
2006019001.tif 000007
【図３Ｃ】
2006019001.tif 000008
【図４】
2006019001.tif 000009
【図５】
2006019001.tif 000010
【図６】
2006019001.tif 000011
【図７】
2006019001.tif 000012
【図８】
2006019001.tif 000013
【図９】
2006019001.tif 000014